(57)【要約】【課題】  鉤状の係合凸部は破損し易い。【解決手段】  中央に凹部10を、外周部に鍔部11を有した逆ハット形状に形成し、凹部10に中央孔12を貫設し、凹部10下面より鍔部11下面までの高さＷを、葺設状態における下方の防災瓦の取付位置の上面から上方の防災瓦の係合段部13の上面までの高さＬより高く設定した防災金具９により、葺設状態において浮き上がろうとする防災瓦の頭側を、その防災瓦の係合段部13の上方に、その下方の防災瓦に固定した防災金具９の鍔部11が位置することで浮き上がらない様にする。又、防災金具９は防災瓦とは別部材となるため、例え防災瓦の尻側に形成した突出部５の上面を防災金具９の取付面６としても、その形状は鉤状にはならず単に突出しているだけであり、破損する危険性が極めて少なくなる。【選択図】図３
2006188872.tif 000002
【特許請求の範囲】
【請求項１】
瓦本体の一側部位を上方重合部とすると共に、他側方より下方重合部を一体突設し、尻
側重合部に釘孔を形成し、下方重合部の頭側で水返しの外側に係合段部を設けた防災瓦に
使用する防災金具であって、
中央に凹部を、外周部に鍔部を有した逆ハット形状に形成し、凹部に中央孔を貫設し、
凹部下面より鍔部下面までの高さを、葺設状態における下方の防災瓦の取付位置の上面か
ら上方の防災瓦の係合段部の上面までの高さより高く設定したことを特徴とする防災金具
。
【請求項２】
請求項１の防災金具用の防災瓦であって、
瓦本体の一側部位を上方重合部とすると共に、他側方より下方重合部を一体突設し、尻
側重合部の上面に突出部を形成し、該突出部の上面を上記防災金具の取付面とすると共に
、該取付面より瓦本体を貫通する挿通孔を形成し、下方重合部の頭側で水返しの外側に係
合段部を設け、葺設時に、上方の防災瓦の係合段部の側方に下方の防災瓦の突出部が位置
すると共に、上記取付面の上面を上記係合段部の下面より下方に位置させる様に突出部及
び係合段部の位置を設定したことを特徴とする防災金具用の防災瓦。
【発明の詳細な説明】
【技術分野】
【０００１】
本発明は、高い防災性能を具備する瓦屋根を簡単に構築出来る様にした防災金具及び該
防災金具用の防災瓦に関する。
【背景技術】
【０００２】
従来の防災瓦としては、差込受部の頭部側端に導水帯と水返しによって分離された係止
受部を形成し、尻部側の中央付近に係止突起を設けた瓦であって、葺き合わせたとき斜め
下段側瓦の係止突起が斜め上段側瓦の係止受部を抑止し振れ止め係止する係止耐風厚平瓦
が見受けられる（例えば、特許文献１参照）。
【０００３】
【特許文献１】特開平８−９３１４１号公報（特許請求の範囲、図１０〜１４）
【発明の開示】
【発明が解決しようとする課題】
【０００４】
しかし、上記係止突起は鉤状に形成されているため、運搬時に衝突したり、葺設時に踏
んで水平部に外力、特に上方からの外力が作用すると破損し易いなど、解決せねばならな
い課題があった。
【課題を解決するための手段】
【０００５】
本発明は、上記従来技術に基づく、鉤状の係止突起は破損し易い課題に鑑み、中央に凹
部を、外周部に鍔部を有した逆ハット形状に形成し、凹部に中央孔を貫設し、凹部下面よ
り鍔部下面までの高さを、葺設状態における下方の防災瓦の取付位置の上面から上方の防
災瓦の係合段部の上面までの高さより高く設定した防災金具を下方の防災瓦の尻側に固定
して、葺設時に設置する防災金具により、葺設状態において浮き上がろうとする防災瓦の
頭側を、その防災瓦の係合段部の上面が、その下方の防災瓦に固定した防災金具に当接す
ることで浮き上がらない様にすることによって、係合段部の上方には防災瓦とは別部材の
防災金具が位置するため、例え防災瓦の尻側に形成した突出部の上面を防災金具の取付面
としても、その形状を鉤状にする必要はなく単に突出しているだけで良いため、破損する
危険性が極めて少なくなって、上記課題を解決する。
【０００６】
而も、瓦本体の一側部位を上方重合部とすると共に、他側方より下方重合部を一体突設
し、尻側重合部の上面に突出部を形成し、該突出部の上面を、上記防災金具の取付面とす
ると共に、該取付面より瓦本体を貫通する挿通孔を形成し、下方重合部の頭側で水返しの
外側に係合段部を設け、千鳥状に葺設すると、上方の防災瓦の係合段部の側方に下方の防
災瓦の突出部が位置すると共に、上記取付面の上面を上記係合段部の下面より下方に位置
させる様に突出部及び係合段部の位置を設定した防災瓦を使用すれば、葺設する防災瓦を
桁行方向へスムーズにスライドさせることが可能になり、突出部は瓦本体に単に突出して
いるだけで破損する危険性を極めて少なくなり、尚且つ防災金具における凹部の深さを浅
くすることが可能になって、釘等の固定具の打ち込み作業が容易化される。
【発明の効果】
【０００７】
要するに本発明は、中央に凹部を、外周部に鍔部を有した逆ハット形状に形成し、凹部
に中央孔を貫設し、凹部下面より鍔部下面までの高さを、葺設状態における下方の防災瓦
の取付位置の上面から上方の防災瓦の係合段部の上面までの高さより高く設定したので、
下方の防災瓦に防災金具を取り付ければ、該防災金具における鍔部の一部が上記係合段部
の上面の上方に位置することから、葺設状態における上下斜め方向に位置する防災瓦が係
合状態となって、強風等に対する耐風機能を発現し防災瓦の浮き、ズレを防止することが
出来るため、固定具の挿通孔及び係合段部を有する防災瓦であれば、従来の様な係合突起
が無くても耐風機能を具備した瓦屋根を構築することが出来る。
而も、下方の防災瓦における防災金具の取付位置における上面を上方の防災瓦の係合段
部の上面より上方に設定しなくても、葺設状態における上下斜め方向に位置する防災瓦を
係合状態にすることが出来るため、防災金具の取付前の下方の防災瓦における防災金具の
取付面が上方の防災瓦の裏面に当接せず、よって葺設する防災瓦を桁行方向へ自由にスラ
イドさせることが出来る。
【０００８】
瓦本体の一側部位を上方重合部とすると共に、他側方より下方重合部を一体突設し、尻
側重合部の上面に突出部を形成し、該突出部の上面を上記防災金具の取付面とすると共に
、該取付面より瓦本体を貫通する挿通孔を形成し、下方重合部の頭側で水返しの外側に係
合段部を設け、葺設時に、上方の防災瓦の係合段部の側方に下方の防災瓦の突出部が位置
すると共に、上記取付面の上面を上記係合段部の下面より下方に位置させる様に突出部及
び係合段部の位置を設定したので、凹部の深さが浅い防災金具を使用しても上下斜め方向
に位置する防災瓦を係合状態にすることが出来るため、防災金具の中央孔及び防災瓦の挿
通孔を挿通させる釘等の固定具の打ち込み作業の容易化を図ることが出来る。
而も、突出部は瓦本体に単に一体突設しただけのものであって、偏平形状にしても上記
条件を達成すれば良いため、葺設時に踏んでも破損せず、突出部の強度の向上を図ること
が出来る等その実用的効果甚だ大である。
【発明を実施するための最良の形態】
【０００９】
以下、本発明の一実施例を図面に基づいて説明する。
図１は、本発明に係る防災金具用瓦の平面斜視図であり、図２は、葺設状態における防
災構造を示す斜視図であり、図３は、図２のＡーＡ断面図である。
図２に示す様に、千鳥状に葺設する防災瓦にあっては、平面視略矩形状にして上面がフ
ラットな瓦本体１の一側方に上方重合部２を設けると共に、他側方より下方重合部３を突
設し、瓦本体１の頭側に垂れ４を一体形成している。
【００１０】
瓦本体１の尻側重合部1aの上面中央の下方重合部３寄りに円錐台状の突出部５を形成し
、該突出部５の上面を、後述する防災金具９の取付面６とし、該取付面６の中央より瓦本
体１の下面まで貫通する、釘、ネジ等の固定具７の挿通孔８を形成している。
上記突出部５の取付面６上に防災金具９を配置し、該防災金具９は中央に凹部10を、外
周部に鍔部11を有する逆ハット形状に形成すると共に、凹部10に形成した中央孔12、上記
挿通孔８内を貫通状態の固定具７を屋根下地に打ち込んで、突出部５に対し防災金具９を
固定する様にしている。
【００１１】
下方重合部３の頭側且つ外側に、葺設状態における下方の防災瓦に取り付けた防災金具
９の下方に位置する係合段部13を形成し、該係合段部13は、下方重合部３の頭側且つ外側
の角部に凹部14を形成することで、該凹部14の下方外側部位に形成している。
又、下方重合部３における水返し15における頭側部位を凹部14に沿う様に屈曲させてい
る。
【００１２】
よって、凹部10の下面より鍔部11の下面までの高さＷを、葺設状態における下方の防災
瓦の取付面６から上方の防災瓦の係合段部13の上面までの高さＬより高く設定すれば、取
付状態において凹部10の下面が当接した状態では、防災金具９の鍔部11が係合段部13の上
面の上方に確実に位置させることが可能になる。
更に、葺設時における上方の防災瓦の係合段部13の側方に、下方の防災瓦の突出部５を
位置させ、且つ上記取付面６を上記係合段部13の下面より下方に位置させる、即ち下方の
防災瓦の上面から上方の防災瓦の係合段部13の下面までの高さＤを、下方の防災瓦の取付
面６の高さより高くする様に突出部５及び係合段部13の位置を設定すれば、下方の防災瓦
の取付面６が上方の防災瓦の係合段部13の下面に当接しない。
【００１３】
次に本発明に係る防災瓦の作用について説明する。
葺設した防災瓦の下方重合部３上に、葺設する防災瓦の上方重合部２を重ねる様に桁行
き方向に葺設すると共に、葺設状態の防災瓦の尻側重合部1a位の上方に、葺設する防災瓦
の頭側を重ねた後、下方の防災瓦における突出部５の取付面６上に防災金具９を、その一
部が上方の防災瓦の係合段部13の上面の上方に位置する様に配置すると共に、該防災金具
９の中央孔12、瓦本体１の挿通孔８内を通した固定具７を屋根下地に打ち込んで、突出部
５に対し防災金具９を固定し、下方の防災瓦の尻側に固定具７を介して上方の防災瓦の頭
側を固定する。
或いは、防災金具９を下方の防災瓦に取り付けた後、葺設する上方の防災瓦の係合段部
13を防災金具９の下方に差し込む様にスライドさせる様に葺設する。
【図面の簡単な説明】
【００１４】
【図１】本発明に係る防災瓦の平面斜視図である。
【図２】葺設状態における耐風構造を示す斜視図である。
【図３】図２のＡーＡ断面図である。
【符号の説明】
【００１５】
１  瓦本体
1a  尻側重合部
２  上方重合部
３  下方重合部
５  突出部
６  取付面
８  挿通孔
９  防災金具
11  係合段部
13  水返し
【図１】
2006188872.tif 000003
【図２】
2006188872.tif 000004
【図３】
2006188872.tif 000005